【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
記録媒体に形成された被評価画像を読み取って取得した前記被評価画像の予め定めた画像色の濃度を、第１の色空間に含まれる複数の成分色の濃度に分解する分解手段と、
前記複数の成分色の濃度を、前記第１の色空間から第２の色空間に変換し、前記被評価画像の画像色を特定する特定手段と、
前記複数の成分色の中から、前記特定手段により特定された前記画像色の色味を決定する色味決定成分色を選択した後、前記色味決定成分色の濃度に基づいて得られた前記画像色の濃度に応じて、前記複数の成分色のうち、ノイズ量の割合が多い補正対象色を選択する選択手段と、
前記補正対象色の前記ノイズ量を低減するように前記複数の成分色の濃度を補正した補正後の前記複数の成分色の濃度を前記第１の色空間から前記第２の色空間に変換して、評価用表色値に変換する変換手段と、
前記評価用表色値と、予め定めた前記画像色の前記第２の色空間における目標表色値との比較結果を出力する出力手段と、
を備えた画像処理装置。
【請求項２】
前記特定手段により前記画像色が１次色であると特定された場合、
前記選択手段は、前記画像色の補色を前記色味決定成分色として選択すると共に、前記色味決定成分色の濃度に基づいて得られた前記画像色の濃度が予め定めた閾値未満の場合には、前記複数の成分色のうち、前記色味決定成分色以外の成分色を前記補正対象色として選択し、前記画像色の濃度が前記予め定めた閾値以上の場合には、前記色味決定成分色を前記補正対象色として選択する
請求項１記載の画像処理装置。
【請求項３】
前記被評価画像が均一濃度画像である場合、
前記分解手段は、前記被評価画像の複数個所の濃度の各々を前記第１の色空間に含まれる前記複数の成分色の濃度に分解し、
前記選択手段は、前記画像色の補色を前記色味決定成分色として選択すると共に、前記複数個所毎に、前記色味決定成分色の濃度に基づいて前記画像色の濃度を取得して、前記複数個所の前記画像色の濃度のうち、前記画像色の濃度が前記予め定めた閾値以上であると判定された判定数が、前記画像色の濃度が前記予め定めた閾値未満であると判定された判定数より少ない場合に、前記画像色の濃度が前記予め定めた閾値未満であるものとして、前記複数の成分色のうち、前記色味決定成分色以外の成分色を前記補正対象色として選択し、前記複数個所の前記画像色の濃度のうち、前記画像色の濃度が前記予め定めた閾値以上であると判定された判定数が、前記画像色の濃度が前記予め定めた閾値未満であると判定された判定数より多い場合に、前記画像色の濃度が前記予め定めた閾値以上であるものとして、前記色味決定成分色を前記補正対象色として選択する
請求項２記載の画像処理装置。
【請求項４】
前記特定手段により前記画像色が２次色であると特定された場合、
前記選択手段は、前記２次色を構成する１次色のうち、表層側の１次色の補色を前記色味決定成分色として選択すると共に、前記色味決定成分色の濃度に基づいて得られた前記画像色の濃度が予め定めた閾値未満の場合には、前記複数の成分色の各々を前記補正対象色として選択し、前記画像色の濃度が前記予め定めた閾値以上の場合には、前記色味決定成分色を前記補正対象色として選択する
請求項１記載の画像処理装置。
【請求項５】
前記被評価画像が均一濃度画像である場合、
前記分解手段は、前記被評価画像の複数個所の濃度の各々を前記第１の色空間に含まれる前記複数の成分色の濃度に分解し、
前記選択手段は、前記２次色を構成する１次色のうち、表層側の１次色の補色を前記色味決定成分色として選択すると共に、前記複数個所毎に、前記色味決定成分色の濃度に基づいて前記画像色の濃度を取得して、前記複数個所の前記画像色の濃度のうち、前記画像色の濃度が前記予め定めた閾値以上であると判定された判定数が、前記画像色の濃度が前記予め定めた閾値未満であると判定された判定数より少ない場合に、前記画像色の濃度が前記予め定めた閾値未満であるものとして、前記複数の成分色の各々を前記補正対象色として選択し、前記複数個所の前記画像色の濃度のうち、前記画像色の濃度が前記予め定めた閾値以上であると判定された判定数が、前記画像色の濃度が前記予め定めた閾値未満であると判定された判定数より多い場合に、前記画像色の濃度が前記予め定めた閾値以上であるものとして、前記色味決定成分色を前記補正対象色として選択する
請求項４記載の画像処理装置。
【請求項６】
前記被評価画像が階調画像である場合、
前記分解手段は、前記被評価画像の複数個所の濃度の各々を前記第１の色空間に含まれる前記複数の成分色の濃度に分解し、
前記選択手段は、前記予め定めた閾値を含む予め定めた範囲に含まれる前記画像色の濃度の各々に対して、前記予め定めた閾値未満の場合に選択される補正対象色である第１の補正対象色、及び前記予め定めた閾値以上の場合に選択される補正対象色である第２の補正対象色を選択し、
前記変換手段は、前記予め定めた範囲に含まれる前記画像色の濃度に対応した前記複数の成分色の濃度の各々に対して、前記第１の補正対象色の濃度を補正した補正後の複数の成分色の濃度と、前記第２の補正対象色の濃度を補正した補正後の複数の成分色の濃度と、を各々求め、各々の前記補正後の複数の成分色の濃度の加重平均値を、前記予め定めた範囲に含まれる前記画像色の濃度の各々に対応した複数の成分色の濃度として、前記評価用表色値に変換する
請求項１記載の画像処理装置。
【請求項７】
コンピュータを、請求項１〜請求項６の何れか１項に記載の画像処理装置を構成する特定手段、選択手段、変換手段、及び出力手段として機能させるための画像処理プログラム。
【請求項８】
被評価画像を読み取る読取手段と、
請求項１〜請求項６の何れか１項に記載の画像処理装置と、
を備えた画像形成装置。
【手続補正２】
【補正対象書類名】明細書
【補正対象項目名】発明の名称
【補正方法】変更
【補正の内容】
【発明の名称】画像処理装置、画像処理プログラム、及び画像形成装置
【手続補正３】
【補正対象書類名】明細書
【補正対象項目名】０００１
【補正方法】変更
【補正の内容】
【０００１】
本発明は、画像処理装置、画像処理プログラム、及び画像形成装置に関する。
【手続補正４】
【補正対象書類名】明細書
【補正対象項目名】０００８
【補正方法】変更
【補正の内容】
【０００８】
請求項３記載の発明は、前記被評価画像が均一濃度画像である場合、前記分解手段は、前記被評価画像の複数個所の濃度の各々を前記第１の色空間に含まれる前記複数の成分色の濃度に分解し、前記選択手段は、前記画像色の補色を前記色味決定成分色として選択すると共に、前記複数個所毎に、前記色味決定成分色の濃度に基づいて前記画像色の濃度を取得して、前記複数個所の前記画像色の濃度のうち、前記画像色の濃度が前記予め定めた閾値以上であると判定された判定数が、前記画像色の濃度が前記予め定めた閾値未満であると判定された判定数より少ない場合に、前記画像色の濃度が前記予め定めた閾値未満であるものとして、前記複数の成分色のうち、前記色味決定成分色以外の成分色を前記補正対象色として選択し、前記複数個所の前記画像色の濃度のうち、前記画像色の濃度が前記予め定めた閾値以上であると判定された判定数が、前記画像色の濃度が前記予め定めた閾値未満であると判定された判定数より多い場合に、前記画像色の濃度が前記予め定めた閾値以上であるものとして、前記色味決定成分色を前記補正対象色として選択する。
【手続補正５】
【補正対象書類名】明細書
【補正対象項目名】０００９
【補正方法】変更
【補正の内容】
【０００９】
請求項４記載の発明は、前記特定手段により前記画像色が２次色であると特定された場合、前記選択手段は、前記２次色を構成する１次色のうち、表層側の１次色の補色を前記色味決定成分色として選択すると共に、前記色味決定成分色の濃度に基づいて得られた前記画像色の濃度が予め定めた閾値未満の場合には、前記複数の成分色の各々を前記補正対象色として選択し、前記画像色の濃度が前記予め定めた閾値以上の場合には、前記色味決定成分色を前記補正対象色として選択する。
【手続補正６】
【補正対象書類名】明細書
【補正対象項目名】００１０
【補正方法】変更
【補正の内容】
【００１０】
請求項５記載の発明は、前記被評価画像が均一濃度画像である場合、前記分解手段は、前記被評価画像の複数個所の濃度の各々を前記第１の色空間に含まれる前記複数の成分色の濃度に分解し、前記選択手段は、前記２次色を構成する１次色のうち、表層側の１次色の補色を前記色味決定成分色として選択すると共に、前記複数個所毎に、前記色味決定成分色の濃度に基づいて前記画像色の濃度を取得して、前記複数個所の前記画像色の濃度のうち、前記画像色の濃度が前記予め定めた閾値以上であると判定された判定数が、前記画像色の濃度が前記予め定めた閾値未満であると判定された判定数より少ない場合に、前記画像色の濃度が前記予め定めた閾値未満であるものとして、前記複数の成分色の各々を前記補正対象色として選択し、前記複数個所の前記画像色の濃度のうち、前記画像色の濃度が前記予め定めた閾値以上であると判定された判定数が、前記画像色の濃度が前記予め定めた閾値未満であると判定された判定数より多い場合に、前記画像色の濃度が前記予め定めた閾値以上であるものとして、前記色味決定成分色を前記補正対象色として選択する。